(57)【要約】【課題】火災を検知した場合に、空気調和エリアの設備および状況に応じて空調制御が可能な空気調和機を得ること。【解決手段】空気調和エリアにおいて煙の発生を検知する煙検知センサ２と、前記空気調和エリアの室温を検出する室内温度センサ３と、排煙装置６の有無を入力する排煙装置入力回路４と、前記空気調和エリアに対する空調運転に連動する換気装置７と、前記空調運転および前記換気装置７の動作を制御する制御部５と、を備え、前記制御部５は、前記煙検知センサ２において火災による煙を検出し、かつ、前記室内温度センサ３において火災による異常温度上昇を検出した場合、前記排煙装置入力回路４からの入力状態に基づいて、前記空調運転および前記換気装置７の運転状態を制御する。【選択図】図１
2013181691.tif 000002
【特許請求の範囲】
【請求項１】
空気調和エリアにおいて煙の発生を検知する煙検知センサと、
前記空気調和エリアの室温を検出する室内温度センサと、
排煙装置の有無を入力する排煙装置入力手段と、
前記空気調和エリアに対する空調運転に連動する換気装置と、
前記空調運転および前記換気装置の動作を制御する制御手段と、
を備え、
前記制御手段は、前記煙検知センサにおいて火災による煙を検出し、かつ、前記室内温度センサにおいて火災による異常温度上昇を検出した場合、前記排煙装置入力手段からの入力状態に基づいて、前記空調運転および前記換気装置の運転状態を制御する、
ことを特徴とする空気調和機。
【請求項２】
輻射熱を感知して床温度を取り込む輻射温度センサ、
を備え、
前記制御手段は、前記輻射センサの入力により火炎の有無を検出し、前記空調運転および前記換気装置の運転状態を制御する、
ことを特徴とする請求項１に記載の空気調和機。
【請求項３】
前記輻射温度センサが、前記空気調和エリアを一定の面積でエリア別に床温度を検出する場合、
前記制御手段は、前記輻射温度センサが検出する火炎の存在する面積に基づいて、前記空調運転および前記換気装置の運転状態を制御する、
ことを特徴とする請求項２に記載の空気調和機。
【発明の詳細な説明】
【技術分野】
【０００１】
本発明は、空気調和機に関する。
【背景技術】
【０００２】
従来、空気調和機では、炭酸ガスセンサにおける検出情報が火災等による異常情報であると判断した場合、空気調和機を停止し、連動する換気扇の運転を可能としている。このような技術が、下記特許文献１において開示されている。
【先行技術文献】
【特許文献】
【０００３】
【特許文献１】特開２００３−２６９７７３号公報
【発明の概要】
【発明が解決しようとする課題】
【０００４】
しかしながら、上記従来の技術によれば、炭酸ガスセンサの検出情報が火災等による異常情報と判断した場合、その空間における排煙装置の有無や火炎の程度に関らず換気扇を運転する。そのため、排煙装置が吸い込んでいる煙を攪拌してしまい排煙装置の能力を低下させてしまう、という問題があった。また、火炎の広がり面積によっては火炎の延焼を促進させてしまう、という問題があった。
【０００５】
本発明は、上記に鑑みてなされたものであって、火災を検知した場合に、空気調和エリアの設備および状況に応じて空調制御が可能な空気調和機を得ることを目的とする。
【課題を解決するための手段】
【０００６】
上述した課題を解決し、目的を達成するために、本発明は、空気調和エリアにおいて煙の発生を検知する煙検知センサと、前記空気調和エリアの室温を検出する室内温度センサと、排煙装置の有無を入力する排煙装置入力手段と、前記空気調和エリアに対する空調運転に連動する換気装置と、前記空調運転および前記換気装置の動作を制御する制御手段と、を備え、前記制御手段は、前記煙検知センサにおいて火災による煙を検出し、かつ、前記室内温度センサにおいて火災による異常温度上昇を検出した場合、前記排煙装置入力手段からの入力状態に基づいて、前記空調運転および前記換気装置の運転状態を制御する、ことを特徴とする。
【発明の効果】
【０００７】
本発明によれば、火災を検知した場合に、空気調和エリアの設備および状況に応じて空調制御ができる、という効果を奏する。
【図面の簡単な説明】
【０００８】
【図１】図１は、実施の形態１の空気調和機の構成例を示す図である。
【図２】図２は、実施の形態１の空気調和機の運転制御を示すフローチャートである。
【図３】図３は、実施の形態２の空気調和機の構成例を示す図である。
【図４】図４は、実施の形態２の空気調和機の運転制御を示すフローチャートである。
【図５】図５は、実施の形態３の空気調和機の構成例を示す図である。
【図６】図６は、実施の形態３の空気調和機の運転制御を示すフローチャートである。
【発明を実施するための形態】
【０００９】
以下に、本発明にかかる空気調和機の実施の形態を図面に基づいて詳細に説明する。なお、この実施の形態によりこの発明が限定されるものではない。
【００１０】
実施の形態１．
図１は、本実施の形態における空気調和機の構成例を示す図である。空気調和機１は、煙検知センサ２と、室内温度センサ３と、排煙装置入力回路４と、制御部５と、を備える。また、空気調和機１は、排煙装置６および自装置に連動する換気装置７と接続する。
【００１１】
空気調和機１では、煙検知センサ２が室内の煙の発生を検知し、室内温度センサ３が室温を検知し、排煙装置入力回路４が排煙装置６の有無の入力を受け付け、制御部５がこれらの情報に基づいて空気調和機１の空調運転を制御する。
【００１２】
空気調和機１では、制御部５は、煙検知センサ２の煙有無入力、および室内温度センサ３の測定温度が通常室温の限界温度（Ｔ℃）を超えているかどうかで火災の発生有無を判定する。
【００１３】
煙検知センサ２の入力が煙有り、かつ室内温度センサ３の測定温度がＴ℃より高い場合、制御部５は、火災発生と判定する。煙検知センサ２の入力が煙有りのみの場合、制御部５は、煙草の煙や調理中に発生する煙の場合があるので火災発生とは判定しない。
【００１４】
火災発生を判定した場合、制御部５は、排煙装置入力回路４の入力情報が有りの場合、火災発生以前の運転状態に関わらず、空気調和機１および換気装置７の運転状態を停止とし、排煙装置入力回路４の入力情報が無しの場合、火災発生以前の運転状態に関わらず、空気調和機１および換気装置７の運転状態を運転とする。
【００１５】
つづいて、空気調和機１において、火災等の異常を検知したときの運転制御について説明する。図２は、本実施の形態の空気調和機１の運転制御を示すフローチャートである。
【００１６】
空気調和機１では、ユーザーの操作（空調許可）等により、制御部５の制御により通常の空気調和状態で運転を行う（ステップＳ１１）。空気調和機１は、煙検知センサ２において煙を検知するまでこの状態を継続する（ステップＳ１２：Ｎｏ）。
【００１７】
煙検知センサ２において煙を検知した場合（ステップＳ１２：Ｙｅｓ）、制御部５では、つぎに、室内温度センサ３において検知した室温が限界温度（Ｔ℃）を超えているかどうか判定する（ステップＳ１３）。
【００１８】
室内温度センサ３で検知した室温が限界温度（Ｔ℃）を超えていない場合（ステップＳ１３：Ｎｏ）、空気調和機１では、制御部５の制御により継続して通常の空気調和状態で運転を行う。
【００１９】
室内温度センサ３で検知した室温が限界温度（Ｔ℃）を超えた場合（ステップＳ１３：Ｙｅｓ）、空気調和機１では、制御部５が空気調和エリアに火災による煙が存在すると判定する。
【００２０】
つぎに、空気調和機１では、制御部５は、排煙装置入力回路４の入力状態により排煙装置６の設置有無を判定する（ステップＳ１４）。
【００２１】
排煙装置入力回路４の入力情報が無い、すなわち、排煙装置６が無い場合（ステップＳ１４：Ｙｅｓ）、制御部５は、空気調和機１の運転状態を運転とし（ステップＳ１５）、換気装置７の運転状態を運転とする（ステップＳ１６）。
【００２２】
一方、排煙装置入力回路４の入力情報が有り、すなわち、排煙装置６が有る場合（ステップＳ１４：Ｎｏ）、制御部５は、空気調和機１の運転状態を停止とし（ステップＳ１７）、換気装置７の運転状態を停止とする（ステップＳ１８）。
【００２３】
以上説明したように、本実施の形態によれば、火災発生を判定した制御部５は、排煙装置６が有る場合、空気調和機１および換気装置７の運転状態を停止とすることで、排煙装置６が吸い込もうとしている煙を攪拌し、排煙装置６による排煙効率の低下を回避することができる。一方、制御部５は、排煙装置６が無い場合、空気調和機１および換気装置７の運転状態を運転とすることで、空気より重い一酸化炭素を空気調和機１の気流により床付近から上空へと押し上げることができ、床付近の一酸化炭素濃度を低下させ、換気装置７により上空へ押し上げられた一酸化炭素を屋外に排出することができる。このように、空気調和機１が、火災を検知した場合、空気調和エリアの設備および状況に応じて空気調和の制御を行うことにより、避難する人は、より一酸化炭素を吸込みにくくなり、一酸化炭素中毒を抑制することができる。
【００２４】
実施の形態２．
実施の形態１では、制御部５が、煙検知センサ２および室内温度センサ３の入力情報により火災発生の有無を判定した。本実施の形態では、さらに、床の温度を測定する輻射温度センサの入力情報を取り込む。実施の形態１と異なる部分について説明する。
【００２５】
図３は、本実施の形態における空気調和機の構成例を示す図である。空気調和機１ａは、煙の発生を検知する煙検知センサ２と、室温を検知する室内温度センサ３と、排煙装置６の有無を入力する排煙装置入力回路４と、輻射熱を感知して床温度を取り込む輻射温度センサ８と、それらの情報に基づいて空調運転を制御する制御部５ａと、を備える。空気調和機１ａは、排煙装置６および自装置に連動する換気装置７と接続する。
【００２６】
空気調和機１ａでは、制御部５ａは、煙検知センサ２の煙有無入力、および室内温度センサ３の測定温度が通常室温の限界温度（Ｔ℃）を超えているかどうかで火災の発生有無を判定後、輻射温度センサ８による床温度が、火炎が存在すると判断される温度Ｔ２℃を超えるかどうかにより、空気調和エリアに火災による煙だけでなく、火炎の有無を判定する。
【００２７】
火炎を判定した場合、制御部５ａは、排煙装置入力回路４の入力情報に関わらず、空気調和機１および換気装置７の運転状態を停止とする。
【００２８】
つづいて、空気調和機１ａにおいて、火災等の異常を検知したときの運転制御について説明する。図４は、空気調和機１ａの運転制御を示すフローチャートである。
【００２９】
空気調和機１ａでは、ユーザーの操作（空調許可）等により、制御部５ａの制御により通常の空気調和状態で運転を行う（ステップＳ１１）。空気調和機１ａは、煙検知センサ２において煙を検知するまでこの状態を継続する（ステップＳ１２：Ｎｏ）。
【００３０】
煙検知センサ２において煙を検知した場合（ステップＳ１２：Ｙｅｓ）、制御部５ａでは、つぎに、室内温度センサ３において検知した室温が限界温度（Ｔ℃）を超えているかどうか判定する（ステップＳ１３）。
【００３１】
室内温度センサ３で検知した室温が限界温度（Ｔ℃）を超えていない場合（ステップＳ１３：Ｎｏ）、空気調和機１ａでは、制御部５ａの制御により継続して通常の空気調和状態で運転を行う。
【００３２】
室内温度センサ３で検知した室温が限界温度（Ｔ℃）を超えた場合（ステップＳ１３：Ｙｅｓ）、空気調和機１ａでは、制御部５ａが空気調和エリアに火災による煙が存在すると判定する。
【００３３】
つぎに、空気調和機１ａでは、制御部５ａは、排煙装置入力回路４の入力状態により排煙装置６の設置有無を判定する（ステップＳ１４）。
【００３４】
排煙装置入力回路４の入力情報が無い、すなわち、排煙装置６が無い場合（ステップＳ１４：Ｙｅｓ）、制御部５ａは、つぎに、輻射温度センサ８の検出温度がＴ２℃より高い温度を検出しているかどうかを判定する（ステップＳ２１）。
【００３５】
輻射温度センサ８の検出温度がＴ２℃以下の場合（ステップＳ２１：Ｎｏ）、制御部５ａは、空気調和エリアには火災による煙は存在するが火炎は存在しないと判定し、空気調和機１ａの運転状態を運転とし（ステップＳ１５）、換気装置７の運転状態を運転とする（ステップＳ１６）。
【００３６】
一方、輻射温度センサ８の検出温度がＴ２℃より高い場合（ステップＳ２１：Ｙｅｓ）、制御部５ａは、空気調和エリアには火災による火炎が存在すると判定し、空気調和機１ａの運転状態を停止とし（ステップＳ１７）、換気装置７の運転状態を停止とする（ステップＳ１８）。
【００３７】
なお、排煙装置入力回路４の入力情報が有り、すなわち、排煙装置６が有る場合（ステップＳ１４：Ｎｏ）、制御部５ａは、空気調和機１ａの運転状態を停止とし（ステップＳ１７）、換気装置７の運転状態を停止とする（ステップＳ１８）。
【００３８】
以上説明したように、本実施の形態によれば、制御部５ａは、煙検知センサ２の煙有無入力、および室内温度センサ３の測定温度が通常室温の限界温度（Ｔ℃）を超えているかどうかで火災の発生有無を判定後、輻射温度センサ８が検出した床温度により火炎が存在すると判断される温度Ｔ２℃を超えているかどうかで、空気調和エリアにおいて火災による煙だけでなく、火炎の有無を判定することとした。空気調和機１ａでは、制御部５ａが火炎が存在すると判定した場合には、排煙装置入力回路４の入力情報に関わらず、空気調和機１ａおよび換気装置７の運転状態を停止とするので、気流を抑制することで火炎の延焼促進を防ぐことができる。
【００３９】
実施の形態３．
実施の形態２では、制御部５ａが、煙検知センサ２、室内温度センサ３、および輻射温度センサ８の入力情報により火災および火炎の発生有無を判定した。本実施の形態では、さらに、火炎が存在すると判定される面積情報を取り込む。実施の形態２と異なる部分について説明する。
【００４０】
図５は、本実施の形態における空気調和機の構成例を示す図である。空気調和機１ｂは、煙の発生を検知する煙検知センサ２と、室温を検知する室内温度センサ３と、排煙装置６の有無を入力する排煙装置入力回路４と、輻射熱を感知して床温度をある一定の面積でエリア別に取り込むことのできる輻射温度センサ８ｂと、それらの情報に基づいて空調運転を制御する制御部５ｂと、を備える。また、空気調和機１ｂは、排煙装置６および自装置に連動する換気装置７と接続する。
【００４１】
空気調和機１ｂでは、制御部５ｂは、煙検知センサ２の煙有無入力、および室内温度センサ３の測定温度が通常室温の限界温度（Ｔ℃）を超えているかどうかで火災の発生有無を判定後、床温度をある一定の面積でエリア別に取り込むことのできる輻射温度センサ８ｂからの入力により、火炎が存在すると判断される床温度Ｔ２℃を超えているエリアがある一定の面積Ｓ１ｍ2を超えるかどうかを判定する。
【００４２】
火炎が存在すると判断される床温度Ｔ２℃を超えるエリアが面積Ｓ１ｍ2を超えると判定した場合、制御部５ｂは、排煙装置入力回路４の入力情報に関わらず、空気調和機１ｂおよび換気装置７の運転状態を停止とする。
【００４３】
火炎が存在すると判断される床温度Ｔ２℃を超えるエリアが面積Ｓ１ｍ2を超えないと判定した場合、制御部５ｂは、排煙装置入力回路４の入力情報が有りであれば、空気調和機１ｂおよび換気装置７の運転状態を停止とし、排煙装置入力回路４の入力情報が無しであれば、空気調和機１ｂおよび換気装置７の運転状態を運転とする。
【００４４】
つづいて、空気調和機１ｂにおいて、火災等の異常を検知したときの運転制御について説明する。図６は、空気調和機１ｂの運転制御を示すフローチャートである。
【００４５】
空気調和機１ｂでは、ユーザーの操作（空調許可）等により、制御部５ｂの制御により通常の空気調和状態で運転を行う（ステップＳ１１）。空気調和機１ｂは、煙検知センサ２において煙を検知するまでこの状態を継続する（ステップＳ１２：Ｎｏ）。
【００４６】
煙検知センサ２において煙を検知した場合（ステップＳ１２：Ｙｅｓ）、制御部５ｂでは、つぎに、室内温度センサ３において検知した室温が限界温度（Ｔ℃）を超えているかどうか判定する（ステップＳ１３）。
【００４７】
室内温度センサ３で検知した室温が限界温度（Ｔ℃）を超えていない場合（ステップＳ１３：Ｎｏ）、空気調和機１ｂでは、制御部５ｂの制御により継続して通常の空気調和状態で運転を行う。
【００４８】
室内温度センサ３で検知した室温が限界温度（Ｔ℃）を超えた場合（ステップＳ１３：Ｙｅｓ）、空気調和機１ｂでは、制御部５ｂが空気調和エリアに火災による煙が存在すると判定する。
【００４９】
つぎに、空気調和機１ｂでは、制御部５ｂは、排煙装置入力回路４の入力状態により排煙装置６の設置有無を判定する（ステップＳ１４）。
【００５０】
排煙装置入力回路４の入力情報が無い、すなわち、排煙装置６が無い場合（ステップＳ１４：Ｙｅｓ）、制御部５ｂは、つぎに、輻射温度センサ８ｂの検出温度がＴ２℃より高い温度を検出しているかどうかを判定する（ステップＳ２１）。
【００５１】
輻射温度センサ８ｂの検出温度がＴ２℃以下の場合（ステップＳ２１：Ｎｏ）、制御部５ｂは、空気調和エリアには火災による煙は存在するが火炎は存在しないと判定し、空気調和機１ｂの運転状態を運転とし（ステップＳ１５）、換気装置７の運転状態を運転とする（ステップＳ１６）。
【００５２】
一方、輻射温度センサ８ｂの検出温度がＴ２℃より高い場合（ステップＳ２１：Ｙｅｓ）、制御部５ｂは、空気調和エリアに火炎が存在すると判定し、つぎに、輻射温度センサ８ｂがＴ２℃より高い温度を検出するエリア面積が面積Ｓ１ｍ2を超えるかどうかを判定する（ステップＳ３１）。
【００５３】
輻射温度センサ８ｂがＴ２℃より高い温度を検出する面積が面積Ｓ１ｍ2以下を検出した場合（ステップＳ３１：Ｎｏ）、制御部５ｂは、空気調和エリアには火災による煙および火炎は存在するが、人の避難スペースがあると判定し、空気調和機１ｂの運転状態を運転とし（ステップＳ１５）、換気装置７の運転状態を運転とする（ステップＳ１６）。
【００５４】
一方、輻射温度センサ８ｂがＴ２℃より高い温度を検出する面積が面積Ｓ１ｍ2を超える場合（ステップＳ３１：Ｙｅｓ）、制御部５ｂは、空気調和エリアに火災による煙および火炎が存在し、人の避難スペースもないと判定し、空気調和機１ｂの運転状態を停止とし（ステップＳ１７）、換気装置７の運転状態を停止とする（ステップＳ１８）。
【００５５】
なお、排煙装置入力回路４の入力情報が有り、すなわち、排煙装置６が有る場合（ステップＳ１４：Ｎｏ）、制御部５ｂは、空気調和機１ｂの運転状態を停止とし（ステップＳ１７）、換気装置７の運転状態を停止とする（ステップＳ１８）。
【００５６】
以上説明したように、本実施の形態によれば、火炎が存在すると判断される床温度Ｔ２℃を超えるエリアが面積Ｓ１ｍ2を超えないと判定した制御部５ｂは、人が避難できるエリアが存在すると判断し、排煙装置６が有る場合、空気調和機１ｂおよび換気装置７の運転状態を停止とすることで、排煙装置６が吸い込もうとしている煙を攪拌して排煙効率が低下することを回避することができる。一方、御部部５ｂは、排煙装置６が無い場合、空気調和機１ｂおよび換気装置７の運転状態を運転とすることで、空気より重い一酸化炭素を空気調和機１ｂの気流により床付近から上空へと押し上げることができ、床付近の一酸化炭素濃度を低下させ、換気装置７により上空へ押し上げられた一酸化炭素を屋外に排出することができる。このように、空気調和機１ｂが、火災を検知した場合、空気調和エリアの設備および状況に応じて空気調和の制御を行うことにより、避難する人は、より一酸化炭素を吸込みにくくなり、一酸化炭素中毒を抑制することができる。
【産業上の利用可能性】
【００５７】
以上のように、本発明にかかる空気調和機は、室内の空気調和に有用であり、特に、換気装置や排煙装置と接続する場合に適している。
【符号の説明】
【００５８】
１、１ａ、１ｂ  空気調和機
２  煙検知センサ
３  室内温度センサ
４  排煙装置入力回路
５、５ａ、５ｂ  制御部
６  排煙装置
７  換気装置
８、８ｂ  輻射温度センサ
【図１】
2013181691.tif 000003
【図２】
2013181691.tif 000004
【図３】
2013181691.tif 000005
【図４】
2013181691.tif 000006
【図５】
2013181691.tif 000007
【図６】
2013181691.tif 000008